Podtech/llm-jp-corpus-v4-ja_patent huggingface dataset:
【手続補正書】
【提出日】平成15年9月29日(2003.9.29)
【手続補正１】
【補正対象書類名】明細書
【補正対象項目名】特許請求の範囲
【補正方法】変更
【補正の内容】
【特許請求の範囲】
【請求項１】
（ａ）活性光線または放射線の照射により、スルホン酸を発生する下記一般式（Ｉ）で表される化合物、及び（ｂ）酸の作用により分解し、アルカリ現像液中での溶解度を増大させる基を有する樹脂を含有することを特徴とするポジ型感光性組成物。
【化１】
1998333326.tif 000001
式（Ｉ）中、Ｒ1 〜Ｒ15は同一でも異なっていてもよく、水素原子、ハロゲン原子、水酸基、アシルアミノ基、ｔ−ブトキシカルボニルオキシ基、アリールチオ基、置換していてもよいアリール基、スルホニルアミノ基、置換していてもよいアリールオキシ基、直鎖、分岐あるいは環状アルキル基、又は直鎖、分岐あるいは環状アルコキシ基を示す。Ｒ1 〜Ｒ15のうち少なくとも１つで、他のスルホニウム塩残基に結合してもよい。Ｘ- は、
【化２】
1998333326.tif 000002
で表わされるスルホニウムアニオンから選ばれる化合物を示す。ｎは０〜１０の整数を表す。Ｒ16〜Ｒ20、Ｒ21〜Ｒ27及びＲ28〜Ｒ36は同一でも異なっていてもよく、水素原子、ハロゲン原子、直鎖、分岐あるいは環状アルキル基、パーフロロアルキル基、直鎖、分岐あるいは環状アルコキシ基、アシル基、アシロキシ基、ホルミル基、ニトロ基、アシルアミノ基、スルホニルアミノ基、アリール基、アルコキシカルボニル基を示す。Ｒ16〜Ｒ20、Ｒ21〜Ｒ27及びＲ28〜Ｒ36のうち少なくとも１つで、他のスルホニウム塩残基に結合してもよい。但し、Ｒ16〜Ｒ20、Ｒ21〜Ｒ27及びＲ28〜Ｒ36のうちそれぞれ少なくとも２つはアルコキシ基であり、Ｒ16〜Ｒ20、Ｒ21〜Ｒ27及びＲ28〜Ｒ36の各置換基の炭素数の和が４以上である。
【請求項２】
酸により分解し得る基を有し、アルカリ現像液中での溶解度が酸の作用により増大する、分子量３０００以下の低分子酸分解性溶解阻止化合物を含有することを特徴とする請求項１に記載のポジ型感光性組成物。
【請求項３】
前記（ｂ）の酸の作用により分解し、アルカリ現像液中での溶解度を増大させる基を有する樹脂が、下記一般式（II）で表される繰り返し構造単位及び一般式(III）で表される繰り返し構造単位を含む樹脂であることを特徴とする請求項１又は２に記載のポジ型感光性組成物。
【化３】
1998333326.tif 000003
式中Ｒ37は、水素原子、置換されていてもよい直鎖、分岐あるいは環状のアルキル基、又は置換されていてもよいアラルキル基を表わす。Ａは、置換されていてもよい直鎖、分岐あるいは環状のアルキル基又は置換されていてもよいアラルキル基を表わす。またＡとＲ37が互いに結合して５または６員環を形成してもよい。
【請求項４】
（ａ) 活性光線、又は放射線の照射により酸を発生する請求項１に記載の一般式（Ｉ）で表される化合物、（ｃ）酸により分解しうる基を有し、アルカリ現像液中での溶解度が酸の作用により増大する、分子量３０００以下の低分子酸分解性溶解阻止化合物、及び（ｄ）水に不溶でアルカリ現像液に可溶な樹脂を含有することを特徴とする感光性組成物。
【請求項５】
請求項１〜４のいずれかに記載のポジ型感光性組成物により膜を形成し、該膜を露光、現像することを特徴とするポジ型パターン形成方法。
【手続補正書】
【提出日】平成15年10月1日(2003.10.1)
【手続補正１】
【補正対象書類名】明細書
【補正対象項目名】００３１
【補正方法】変更
【補正の内容】
【００３１】
コリメータレンズ８２Ｒは、レーザ光源８０Ｒから射出された光ビームＬｒをそれぞれ整形して平行光とするもので、集光レンズ８４は、対応する光ビームＬをＡＯＭ８６に集光するものである。
ＡＯＭ（音響光学変調器）８６は、各光ビームＬを画像データ（すなわち記録画像）に応じて変調するものである。なお、変調方法には特に限定はなく、強度変調であってもパルス（幅もしくは数）変調であってもよく、また、ＡＯＭ以外にも、ＥＯＭ（電気光学変調器）等の各種の変調器が利用可能である。さらに、光ビームの光源が直接変調による記録が可能なものである場合には、光源を変調してもよい。


【手続補正２】
【補正対象書類名】明細書
【補正対象項目名】００４９
【補正方法】変更
【補正の内容】
【００４９】
一方、プリンタ２２では、記録制御部７８が、この画像データをメモリ１０２に記憶すると共に、供給部５２に画像データ（作成するプリント）の情報を送り、供給部５２は、それに応じたサイズの感光材料Ａを順次供給する。
供給部５２から供給された感光材料Ａは、印字装置５４によってバックプリントを記録され、次いで、露光部５６（走査搬送手段７６）に送られる。
感光材料Ａが所定の位置に搬送されると、記録制御部７８が対応する画像データをメモリ１０２から読み出し、感光材料Ａの先端が露光位置Ｘに搬送されると、この画像データに応じてＡＯＭ８６を駆動して光ビームＬを変調し、走査搬送手段７６によって走査搬送される感光材料Ａを２次元的に露光して潜像を記録する。
露光部５６において潜像を記録された感光材料Ａは、次いで、振り分け部５８によって必要に応じて複数列に振り分けられ、プロセサ２４の現像部１０８に供給される。
【手続補正書】
【提出日】平成15年7月28日(2003.7.28)
【手続補正１】
【補正対象書類名】明細書
【補正対象項目名】特許請求の範囲
【補正方法】変更
【補正の内容】
【特許請求の範囲】
【請求項１】
粒子表面の晶癖に占める｛１００｝面の割合が８０％以上である、主平面が｛１００｝面の平板ハロゲン化銀粒子を全投影面積の６０％以上含み、含有するトータルのハロゲン化銀粒子の平均ヨウ化銀含有率が１〜２０モル％で、かつ平均球相当直径が０．１〜０．６μｍ、球相当直径分布の変動係数が２５％以下であることを特徴とするハロゲン化銀乳剤。
【請求項２】
含有するトータルのハロゲン化銀粒子の平均ヨウ化銀含有率が１〜１０モル％で、かつ平均球相当直径が０．１〜０．５μｍであることを特徴とする請求項１に記載のハロゲン化銀乳剤。
【請求項３】
化合物Ａ０  および／または化合物Ｂ０  の存在下で製造されることを特徴とする請求項１に記載のハロゲン化銀乳剤。
ここで化合物Ａ０  はＡｇＢｒ粒子の｛１００｝面の形成を促進する吸着剤が１分子中に２個以上、共有結合した有機化合物を表わし、化合物Ｂ０  はアルコール基（水酸基）を１分子中に２基以上有するゼラチン以外の有機化合物を表わし、かつ、両者はゼラチンおよびタンパク質以外の有機化合物を表わす。
【請求項４】
支持体上に設けられた少なくとも１つの感光性層に請求項１記載のハロゲン化銀乳剤を含有することを特徴とするハロゲン化銀カラー写真感光材料。
【請求項５】
ハロゲン化銀カラー写真感光材料が、ハロゲン化銀カラー反転写真感光材料であることを特徴とする請求項４に記載のハロゲン化銀カラー写真感光材料。
【手続補正２】
【補正対象書類名】明細書
【補正対象項目名】００１０
【補正方法】変更
【補正の内容】
【００１０】
【課題を解決するための手段】
本発明の目的は、下記（１）〜（５）により達成された。
（１）粒子表面の晶癖に占める｛１００｝面の割合が８０％以上である、主平面が｛１００｝面の平板ハロゲン化銀粒子を全投影面積の６０％以上含み、含有するトータルのハロゲン化銀粒子の平均ヨウ化銀含有率が１〜２０モル％で、かつ平均球相当直径が０．１〜０．６μｍ、球相当直径分布の変動係数が２５％以下であることを特徴とするハロゲン化銀乳剤。
（２）含有するトータルのハロゲン化銀粒子の平均ヨウ化銀含有率が１〜１０モル％で、かつ平均球相当直径が０．１〜０．５μｍであることを特徴とする請求項１に記載のハロゲン化銀乳剤。
（３）化合物Ａ０  および／または化合物Ｂ０  の存在下で製造されることを特徴とする請求項１に記載のハロゲン化銀乳剤。


【手続補正３】
【補正対象書類名】明細書
【補正対象項目名】００１１
【補正方法】変更
【補正の内容】
【００１１】
ここで化合物Ａ０  はＡｇＢｒ粒子の｛１００｝面の形成を促進する吸着剤が１分子中に２個以上、共有結合した有機化合物を表わし、化合物Ｂ０  はアルコール基（水酸基）を１分子中に２基以上有するゼラチン以外の有機化合物を表わし、かつ、両者はゼラチンおよびタンパク質以外の有機化合物を表わす。
（４）支持体上に設けられた少なくとも１つの感光性層に請求項１記載のハロゲン化銀乳剤を含有することを特徴とするハロゲン化銀カラー写真感光材料。
（５）ハロゲン化銀カラー写真感光材料が、ハロゲン化銀カラー反転写真感光材料であることを特徴とする請求項４に記載のハロゲン化銀カラー写真感光材料。
【手続補正書】
【提出日】平成15年10月1日(2003.10.1)
【手続補正１】
【補正対象書類名】明細書
【補正対象項目名】００１５
【補正方法】変更
【補正の内容】
【００１５】
このようなスキャナ１２においては、光源２６から射出され、可変絞り２７によって光量調整され、色フィルタ板２８を通過して色調整され、拡散ボックス３０で拡散された読取光が、キャリア３２によって光軸Ｒに対応する読取位置Ｚに位置されたフィルムの１コマの画像に入射し、透過することにより、フィルムに撮影されたこの１コマの画像を担持する投影光が得られる。
また、図示例のデジタルプリントシステム（以下、単にプリントシステムという）１０においては、キャリア３２は、スキャナ１２の本体の所定位置に装着自在に構成される。図示例においては、フィルムの種類やサイズ、スライド等のフィルムの形態、トリミング等の処理等に応じて、スキャナ１２の本体に装着自在な専用のキャリアが用意されており、装着するキャリアを取り替えることにより、従来の１３５サイズや２４０サイズのネガティブフィルム、リバーサルフィルム、スライド等の各種のフィルムや処理に対応して読み取りを行うことができる。


【手続補正２】
【補正対象書類名】明細書
【補正対象項目名】００４０
【補正方法】変更
【補正の内容】
【００４０】
この時、本発明においては、ジョブファイルにおいて注文記号によって指定されたテンプレート画像に応じて背景画像メモリ５４のテンプレート属性ファイル（後述の表５参照）に定義されている読み取り画像（以下、スキャン画像という）のテンプレート画像上における位置とサイズとを、各スキャン画像毎に予め指定しておく。その結果、この指定によって、後段の画像スキャン工程Ｆ２で各スキャン画像をスキャナ１２によって顧客原稿から指定されたサイズに応じて読み取り、指定サイズの出力解像度、例えば３００ＤＰＩの画像データに変換され、次いで後段の画像合成工程Ｆ４で画像合成部５０によって各スキャン画像をテンプレート画像上の指定位置に自動合成することができる。もちろん、テンプレート画像は、同じく出力解像度（３００ＤＰＩ）の画像データであることはいうまでもない。


【手続補正３】
【補正対象書類名】明細書
【補正対象項目名】００７１
【補正方法】変更
【補正の内容】
【００７１】
このように構成される画像再生システム８０においては、各端末８４や８６で上述した仕分け処理工程Ｆ１を経てジョブファイルに指定されたジョブデータに従って各件毎に順次、画像スキャン工程Ｆ２、文字入力工程Ｆ３−ビットマップ展開工程Ｆ３２、画像合成工程Ｆ４を繰り返して得られた合成画像データをジョブファイルと共に、直接ＷＡＮ経由で画像サーバ８２に格納し、あるいは、一旦数件分内蔵メモリまたは外部記憶装置に記憶し、少なくとも１ロット分の所定件数の合成画像データおよびジョブファイル（ジョブデータ）さらには顧客画像データを作製した後、こうして作製された少なくとも１ロット分の所定件数の合成画像データおよびジョブデータなどを読み出してＷＡＮ経由で画像サーバ８２にアップロードし、格納する。
画像サーバ９６においては、他のポストカードシステムからアップロードされた各ロットのジョブデータが常時監視されており、各ロットのジョブデータに応じて、ＬＡＮ経由で、１ロットの各件の合成画像データがジョブファイルと共にプリントシステム１０に自動的に転送され、直接、または、一旦このプリントシステム１０の制御装置１４のメモリ４２または記憶装置２０に格納された後、読み出されて、プリントシステム１０のプリンタ１６からこのロットの各件の合成画像データに対応したポストカード用プリントが所要枚数ずつ自動的に出力される。


【手続補正４】
【補正対象書類名】明細書
【補正対象項目名】０１０３
【補正方法】変更
【補正の内容】
【０１０３】
【発明の効果】
以上詳述したように、本発明によれば、デジタルプリントシステムのデジタルフォトプリンタを用いて文字と画像が合成されたプリント画像を持つポストカードを作製するために、スキャナで読み取られた原稿画像と背景画像と文字が合成された合成画像を顧客の注文に応じた枚数だけ、複数の合成画像の件数に渡って連続的に自動プリントすることができる。その結果、本発明によれば、人手をかける必要のある合成画像データの作成を集中して行い、所定件数を１単位毎にまとめて記憶媒体に格納し、無人で、少なくとも１単位毎に記憶媒体から読み出して、各合成画像データに応じたポストカード用プリントを所要枚数ずつ連続して自動的に出力することができるので、デジタルプリントシステムの各装置、画像入力装置および制御装置と、画像出力装置などの稼働効率や作業効率を向上させることができ、デジタルプリントシステムのポストカードの処理能力の向上を図ることができる。
【手続補正書】
【提出日】平成15年10月29日(2003.10.29)
【手続補正１】
【補正対象書類名】明細書
【補正対象項目名】特許請求の範囲
【補正方法】変更
【補正の内容】
【特許請求の範囲】
【請求項１】
出力回路とバイアス回路とを備えた電流出力装置において、
前記バイアス回路を流れる電流を断続する断続手段と、
前記断続手段が接続されている場合に前記出力回路に対して供給されているバイアス電圧を検出する検出手段と、
前記検出手段により検出された前記バイアス電圧を保持する保持手段と、
前記保持手段により保持されている前記バイアス電圧を、前記出力回路に供給する供給手段と
を備えることを特徴とする電流出力装置。
【請求項２】
前記出力回路と前記バイアス回路は、ＭＯＳ−ＦＥＴによりそれぞれ構成されており、また、前記出力回路と前記バイアス回路はカレントミラー回路を構成している
ことを特徴とする請求項１に記載の電流出力装置。
【請求項３】
前記検出手段は、前記バイアス回路を構成するＭＯＳ−ＦＥＴのゲート端子とドレイン端子をスイッチにより接続することにより、前記バイアス電圧を検出しており、
前記スイッチは、Ｐ型とＮ型のＭＯＳ−ＦＥＴが並列に接続されて構成されている
ことを特徴とする請求項２に記載の電流出力装置。
【請求項４】
出力回路とバイアス回路とを備えた電流出力装置による電流出力方法において、
前記バイアス回路に電流が流れている場合に、前記バイアス回路から前記出力回路へ供給されているバイアス電圧を検出する検出ステップと、
前記検出ステップにより検出された前記バイアス電圧を保持する保持ステップと、
前記保持ステップにより保持されている前記バイアス電圧を、前記出力回路に供給する供給ステップと
を備えることを特徴とする電流出力方法。
【手続補正２】
【補正対象書類名】明細書
【補正対象項目名】００２１
【補正方法】変更
【補正の内容】
【００２１】
請求項４に記載の電流出力方法は、バイアス回路に電流が流れている場合に、バイアス回路から出力回路へ供給されているバイアス電圧を検出する検出ステップと、検出ステップにより検出されたバイアス電圧を保持する保持ステップと、保持ステップにより保持されているバイアス電圧を、出力回路に供給する供給ステップとを備えることを特徴とする。


【手続補正３】
【補正対象書類名】明細書
【補正対象項目名】００２３
【補正方法】変更
【補正の内容】
【００２３】
請求項４に記載の電流出力方法においては、バイアス回路に電流が流れている場合に、バイアス回路から出力回路へ供給されているバイアス電圧を検出ステップが検出し、検出ステップにより検出されたバイアス電圧を保持ステップが保持し、保持ステップにより保持されているバイアス電圧を、供給ステップが出力回路に供給する。例えば、カレントミラー回路のバイアス回路を流れる電流を断続ステップが所定の周期で断続し、断続ステップが接続されている場合に出力回路に対して出力されている電圧を検出ステップが検出し、検出ステップによって検出されたバイアス電圧を保持ステップが保持し、保持ステップが保持している電圧を、カレントミラー回路の出力回路に対して供給ステップが供給する。


【手続補正４】
【補正対象書類名】明細書
【補正対象項目名】００５０
【補正方法】変更
【補正の内容】
【００５０】
【発明の効果】
請求項１に記載の電流出力装置および請求項４に記載の電流出力方法によれば、バイアス回路に電流が流れている場合に、バイアス回路から出力回路へ供給されているバイアス電圧を検出し、検出されたバイアス電圧を保持し、保持されているバイアス電圧を出力回路に供給するようにしたので、バイアス回路には所定の周期毎にパルス状の電流が流れることになり、バイアス回路において消費される電力を削減することが可能となる。
【手続補正書】
【提出日】平成15年11月12日(2003.11.12)
【手続補正１】
【補正対象書類名】明細書
【補正対象項目名】請求項１
【補正方法】変更
【補正の内容】
【請求項１】
耐火性骨材、アルミナ及び／又はヒュームドシリカからなる平均粒径１０μｍ以下の耐火性超微粉を含む耐火性粉末、アルミナセメント、並びに少量の分散剤を含む不定形耐火物用粉体組成物に水を加えて混練されてなり、かつ上端内径５０ｍｍ、下端内径１００ｍｍ、高さ１５０ｍｍで上下端が開口した円錐台形状のコーン型に混練直後の坏土を流し込んで充たしコーン型を上方に抜き取って６０秒間静置したときの広がり直径が１８０ｍｍ以上となる自己流動性を有する坏土を、圧送ポンプと圧送配管によって施工現場に圧送し、圧縮空気と急結剤を前記坏土中に注入し、かかる坏土を吹付けノズルから施工箇所に吹付けることを特徴とする不定形耐火物の吹付け施工方法。
【手続補正２】
【補正対象書類名】明細書
【補正対象項目名】０００８
【補正方法】変更
【補正の内容】
【０００８】
【課題を解決するための手段】
本発明の不定形耐火物の吹付け施工方法は、耐火性骨材、アルミナ及び／又はヒュームドシリカからなる平均粒径１０μｍ以下の耐火性超微粉を含む耐火性粉末、アルミナセメント、並びに少量の分散剤を含む不定形耐火物用粉体組成物（以下、単に粉体組成物という）に水を加えて混練されてなり、かつ上端内径５０ｍｍ、下端内径１００ｍｍ、高さ１５０ｍｍで上下端が開口した円錐台形状のコーン型に混練直後の坏土を流し込んで充たしコーン型を上方に抜き取って６０秒間静置したときの広がり直径が１８０ｍｍ以上となる自己流動性を有する坏土を、圧送ポンプと圧送配管によって施工現場に圧送し、圧縮空気と急結剤を前記坏土中に注入し、かかる坏土を吹付けノズルから施工箇所に吹付けることを特徴とする。
【手続補正書】
【提出日】平成15年10月15日(2003.10.15)
【手続補正１】
【補正対象書類名】明細書
【補正対象項目名】特許請求の範囲
【補正方法】変更
【補正の内容】
【特許請求の範囲】
【請求項１】
内燃機関の燃料噴射装置に高圧燃料を供給する燃料供給装置であって、
ハウジングと、
前記ハウジング内のシリンダ部に往復移動自在に支持され、燃料加圧室に吸入した燃料を加圧するプランジャと、
前記ハウジングのうち、前記シリンダ部の側方に取付けられる取付部品とを備え、
前記取付部品を係止する前記ハウジングの座面を取付け方向に延長した仮想延長領域は、前記プランジャと摺動する前記シリンダ部の内周面よりも外側に位置していることを特徴とする燃料供給装置。
【請求項２】
前記取付部品は前記ハウジングとねじ結合することを特徴とする請求項１記載の燃料供給装置。
【請求項３】
前記ハウジングと前記シリンダ部とは別部材であり、前記シリンダ部の外周面よりも前記仮想延長領域は外側に位置していることを特徴とする請求項１または２記載の燃料供給装置。
【請求項４】
同一燃料圧力を有する燃料通路に配設された少なくとも一組の前記取付部品を前記ハウジングの同一横断面上に対向して取付けることを特徴とする請求項１〜３いずれか一項記載の燃料供給装置。
【請求項５】
前記燃料供給装置を内燃機関に取付ける拘束位置から前記プランジャの中心軸に向けて降ろした垂線と平行に前記ハウジングに前記取付部品を取付けることを特徴とする請求項１〜４のいずれか一項記載の燃料供給装置。
【請求項６】
前記取付部品を複数有したことを特徴とする請求項１〜５いずれか一項記載の燃料供給装置。
【手続補正２】
【補正対象書類名】明細書
【補正対象項目名】０００６
【補正方法】変更
【補正の内容】
【０００６】
【課題を解決するための手段】
本発明の請求項１〜６記載の燃料供給装置によると、取付部品が係止されるハウジングの座面を取付け方向に延長した仮想延長領域は、プランジャと摺動するシリンダ部の内周面よりも外側に位置している。したがって、ハウジングに取付部品を取付ける際に取付部品が座面を押す軸力がプランジャと摺動するシリンダ部の内周面に殆ど加わらない。これによりシリンダ部の内周面が変形しないので、プランジャとシリンダ部との摺動クリアランスをほぼ一定に保持し、プランジャとシリンダ部との焼きつきを防止できる。
【手続補正書】
【提出日】平成15年11月10日(2003.11.10)
【手続補正１】
【補正対象書類名】明細書
【補正対象項目名】特許請求の範囲
【補正方法】変更
【補正の内容】
【特許請求の範囲】
【請求項１】
機器外枠の下部に配設され、下方に接地部を形成し上方に外周にネジ等の凹凸部を設けた摺動軸部を形成した脚と、該脚の摺動軸部を軸支孔に挿通させる取付用ケースと、前記脚の摺動軸部を軸支孔に挿通させ、前記ケース内に軸支され、一端がケースの開口部から外に突出して回動操作可能なレバーとを備え、前記レバーの軸支孔を有する係合部を筒状に上下方向に延設して、該軸支孔に前記回動操作により脚の軸部の凹凸部をロックする凹凸部を複数形成した機器用調整脚。
【請求項２】
前記係合部の上面は円弧状に設けるとともに、取り付け用ケースの天板内面に前記円弧に応じて曲面を設けた請求項１記載の機器用調整脚。
【請求項３】
機器の底部に取付けられるケースと、
前記ケース内に回転可能に軸支された係合部材と、
前記ケースと係合材を貫通すると共に、外周に第１の係合部を有する軸部を備えた脚と、
を備え、
前記係合部材には、前記第１の係合部に対し係合可能な第２の係合部が設けてあり、
前記係合部材は、常時、前記第１の係合部と第２の係合部とが係合すべくバネで付勢してあると共に、ロック解除部材によって、前記第１の係合部と第２の係合部との係合を解除可能に設けてある機器用調整脚。
【請求項４】
前記第１の係合部及び第２の係合部が凹凸部である請求項３記載の機器用調整脚。
【請求項５】
前記ロック解除部材は、前記バネの反発力に逆らって押し込むことによって、前記第１の係合部と第２の係合部との係合を解除し、前記押し込みを解除することによって、前記バネの反発力により前記第１の係合部と第２の係合部との係合を行う請求項３または請求項４記載の機器用調整脚。
【請求項６】
前記係合部材は、第２の係合部を上下対角線上に複数形成してなる請求項３ないし請求項５のいずれか一項に記載の機器用調整脚。
【手続補正２】
【補正対象書類名】明細書
【補正対象項目名】０００５
【補正方法】変更
【補正の内容】
【０００５】
【課題を解決するための手段】
本発明は、その目的を達成するため次のような構成を採用している。つまり、本発明の機器用調整脚は、機器外枠の下部に配設され、下方に接地部を形成し上方に外周にネジ等の凹凸部を設けた摺動軸部を形成した脚と、該脚の摺動軸部を軸支孔に挿通させる取付用ケースと、前記脚の摺動軸部を軸支孔に挿通させ、前記ケース内に軸支され、一端がケースの開口部から外に突出して回動操作可能なレバーとを備え、前記レバーの軸支孔を有する係合部を筒状に上下方向に延設して、該軸支孔に前記回動操作により脚の軸部の凹凸部をロックする凹凸部を複数形成したものである。また、前記係合部の上面は円弧状に設けるとともに、取り付け用ケースの天板内面に前記円弧に応じて曲面を設けることが望ましい。
また、本発明は、機器の底部に取付けられるケースと、前記ケース内に回転可能に軸支された係合部材と、前記ケースと係合材を貫通すると共に、外周に第１の係合部を有する軸部を備えた脚と、を備え、前記係合部材には、前記第１の係合部に対し係合可能な第２の係合部が設けてあり、前記係合部材は、常時、前記第１の係合部と第２の係合部とが係合すべくバネで付勢してあると共に、ロック解除部材によって、前記第１の係合部と第２の係合部との係合を解除可能に設けてある機器用調整脚を提供するものである。
前記第１の係合部及び第２の係合部は、凹凸部とすることができる。
また、前記ロック解除部材は、前記バネの反発力に逆らって押し込むことによって、前記第１の係合部と第２の係合部との係合を解除し、前記押し込みを解除することによって、前記バネの反発力により前記第１の係合部と第２の係合部との係合を行うことができる。
そしてまた、前記係合部材は、第２の係合部を上下対角線上に複数形成した構造とすることができる。
【手続補正書】
【提出日】平成15年9月25日(2003.9.25)
【手続補正１】
【補正対象書類名】明細書
【補正対象項目名】特許請求の範囲
【補正方法】変更
【補正の内容】
【特許請求の範囲】
【請求項１】
レンズ層の片面に隣接し設けられてレンズシートを構成するレンズシート用フィルムであって、熱可塑性樹脂フィルムからなるとともに、該フィルムの少なくともレンズ層側の片面に、アミドエステル結合、ウレタン結合、アミド結合、ウレア結合の少なくとも１種を含有してなる積層膜が設けられてなることを特徴とするレンズシート用フィルム。
【請求項２】
積層膜中に、メラミン系架橋剤、オキサゾリン系架橋剤、イソシアネート系架橋剤、アジリジン系架橋剤、あるいはエポキシ系架橋剤の少なくとも１種から選ばれた架橋剤を含有してなることを特徴とする請求項１記載のレンズシート用フィルム。
【請求項３】
積層膜中に、アクリル樹脂、ポリエステル樹脂、およびウレタン樹脂の少なくとも１種から選ばれた樹脂を含有してなることを特徴とする請求項１または２記載のレンズシート用フィルム。
【請求項４】
架橋剤が、メラミン系架橋剤とオキサゾリン系架橋剤からなることを特徴とする請求項１、２または３記載のレンズシート用フィルム。
【請求項５】
積層膜中において、メラミン系架橋剤が樹脂に対し０．２〜２０重量部添加され、オキサゾリン系架橋剤が樹脂に対し０．２〜２０重量部添加され、かつ、架橋剤の添加重量比（［オキサゾリン系架橋剤］／［メラミン系架橋剤］）が０．１〜１０であることを特徴とする請求項１、２、３または４記載のレンズシート用フィルム。
【請求項６】
積層膜中の樹脂が、ガラス転移点の異なる２種類のポリエステル樹脂からなり、かつ、ガラス転移点の高いポリエステル樹脂のガラス転移点が、６０℃以上、１１０℃以下であり、ガラス転移点の低いポリエステル樹脂のガラス転移点が、６０℃未満りものであることを特徴とする請求項１、２、３、４または５記載のレンズシート用フィルム。
【請求項７】
ポリエステルフィルムが、メラミン系架橋剤、オキサゾリン系架橋剤あるいはこれらの反応生成物から選ばれる少なくとも１種を、合計で５ｐｐｍ以上、２０重量％未満含有した組成物からなることを特徴とする請求項１、２、３、４、５または６記載のレンズシート用フィルム。
【手続補正書】
【提出日】平成15年8月1日(2003.8.1)
【手続補正１】
【補正対象書類名】明細書
【補正対象項目名】特許請求の範囲
【補正方法】変更
【補正の内容】
【特許請求の範囲】
【請求項１】
天然パルプを主成分とする紙を基質として、その一方の画像形成層を設ける側の紙基質がフィルム形成能ある樹脂を含む樹脂層（Ａ）で被覆され、その反対側の紙基質がポリエチレン系樹脂を主成分とする樹脂層（Ｂ）で被覆された画像材料用支持体であって、天然パルプの下記で規定されるパルプの繊維長が０．６０mm以下であり、かつ紙基質の密度が１．０５g/cm3以上であり、かつポリエチレン系樹脂を主成分とする樹脂層（Ｂ）が２００ｍ／分以上で被覆されたことを特徴とする画像材料用支持体。
パルプの繊維長：１．０規定の水酸化ナトリウム水溶液８０cm3中に４cm×４cmの画像材料用支持体の紙基質を３日間浸した後、十分水洗する。その後、３重量％の水(純水)のスラリーになるように、十分水洗した紙基質に水(純水)を加え、分散装置にて繊維を切断しないように離解してパルプスラリーを得る。このパルプについて、ＪＡＰＡＮ  ＴＡＰＰＩ紙パルプ試験方法Ｎｏ．５２-89「紙及びパルプ繊維長試験方法」に準拠して測定した長さ加重平均繊維長（mm）で表示したものを言う。
【請求項２】
樹脂層（Ａ）中のフィルム形成能ある樹脂が熱可塑性樹脂であり、該熱可塑性樹脂が２回以上の逐次押し出し溶融樹脂コーティング方式により被覆されたものである請求項１記載の画像材料用支持体。
【請求項３】
ポリエチレン系樹脂を主成分とする樹脂層（Ｂ）の下記で規定される赤外二色比（Ｄ値）が０.７０以下である請求項１または２記載の画像材料用支持体。
赤外二色比（Ｄ値）：バック層を有しない状態での画像形成層を設ける側とは反対側の面に被覆されている樹脂層（Ｂ）を次亜塩素酸ナトリウム水溶液により紙基質から剥離し、その剥離したフィルムの赤外吸収スペクトルを偏光板により偏光した赤外光で測定し、ポリエチレン分子の ＣＨ2の横ゆれ振動に由来する７２０cm-1前後と７３０cm-1前後の２つの赤外吸収ピークの中で７２０cm-1前後の方のピーク強度を求める。このピーク強度は、６７５cm-1〜７２５cm-1の中の最も吸光度の小さな点との７２５cm-1〜７７５cm-1の中の最も吸光度の小さな点とを結んだ線をベースラインとして求めた吸光度の値である。この際、溶融押出時の走行方向（長手方向）を基軸として、それに対して平行方向に偏光した赤外光による７２０cm-1前後のピーク強度Ａ(＝)と垂直方向に偏光した赤外光の７２０cm-1前後のピーク強度Ａ(＋)を求め、Ａ(＝)／Ａ(＋)の比を赤外二色比（Ｄ値）とする。
【請求項４】
熱可塑性樹脂が、ポリオレフィン樹脂である請求項２記載の画像材料用支持体。
【請求項５】
樹脂層（Ａ）と樹脂層（Ｂ）が、逐次連続的に押し出し溶融樹脂コーティング方式により基紙を被覆したものである請求項１、２、３または４記載の画像材料用支持体。
【請求項６】
ハロゲン化銀写真印画紙用またはインクジェット記録材料用である請求項１、２、３、４または５記載の画像材料用支持体。
【手続補正書】
【提出日】平成15年6月17日(2003.6.17)
【手続補正１】
【補正対象書類名】明細書
【補正対象項目名】特許請求の範囲
【補正方法】変更
【補正の内容】
【特許請求の範囲】
【請求項１】
アセタール型の酸脱離基を有するポリマーと、エネルギービームの照射により酸を発生する酸発生剤とを含む化学増幅型レジストを基板上に塗布してレジスト膜を形成する工程と、
真空中において、前記レジスト膜に対してエネルギービームをパターン露光する工程と、
パターン露光された前記レジスト膜を大気中に放置する工程と、
放置された前記レジスト膜を加熱する工程と、
加熱された前記レジスト膜を現像してレジストパターンを形成する工程とを備えていることを特徴とするパターン形成方法。
【請求項２】
前記アセタール型の酸脱離基は、エトキシエチル基、イソプロポキシエチル基、メトキシエチル基又はテトラヒドロピラニル基であることを特徴とする請求項１に記載のパターン形成方法。
【請求項３】
前記レジスト膜を大気中に放置する工程は、前記レジスト膜に吸湿させる工程を含むことを特徴とする請求項１に記載のパターン形成方法。
【請求項４】
前記大気中の湿度は５０％以上であることを特徴とする請求項１に記載のパターン形成方法。
【手続補正書】
【提出日】平成15年9月19日(2003.9.19)
【手続補正１】
【補正対象書類名】明細書
【補正対象項目名】特許請求の範囲
【補正方法】変更
【補正の内容】
【特許請求の範囲】
【請求項１】
左右の眼特性を自覚的に測定する器械と、制御部と、近用測定のために該器械の視軸を輻輳させる輻輳手段と、電動で視力表を選択する近用視力表装置と、を有し、該制御部が左右の視軸を自動的に視力表に収斂するように該輻輳手段を制御する自覚式検眼装置において、
角膜に映った光によって瞳孔間距離を検出する瞳孔間距離測定部を有し、上記制御部が左右の視軸を自動的に視力表に収斂するように上記輻輳手段を制御する際に、上記瞳孔間距離測定部により検出された角膜の曲率中心による瞳孔間距離と収斂角度を補正制御することを特徴とする自覚式検眼装置。
【請求項２】
左右の眼特性を自覚的に測定する器械と、制御部と、近用測定のために該器械の視軸を輻輳させる輻輳手段と、電動で視力表を選択する近用視力表装置と、を有し、該制御部が左右の視軸を自動的に視力表に収斂するように該輻輳手段を制御する自覚式検眼装置において、
角膜に映った光によって瞳孔間距離を検出する瞳孔間距離測定部と、該近用視力表装置の視力表を選択する操作手段を有し、該操作手段により該視力表を選択すると、左右の視軸を自動的に視力表に収斂するように該輻輳手段を制御する際に、上記瞳孔間距離測定部により検出された角膜の曲率中心による瞳孔間距離と収斂角度を補正制御することを特徴とする自覚式検眼装置。
【手続補正２】
【補正対象書類名】明細書
【補正対象項目名】０００８
【補正方法】変更
【補正の内容】
【０００８】
【課題を解決するための手段】
第１発明は、左右の眼特性を自覚的に測定する器械と、制御部と、近用測定のために該器械の視軸を輻輳させる輻輳手段と、電動で視力表を選択する近用視力表装置と、を有し、該制御部が左右の視軸を自動的に視力表に収斂するように該輻輳手段を制御する自覚式検眼装置において、
角膜に映った光によって瞳孔間距離を検出する瞳孔間距離測定部を有し、上記制御部が左右の視軸を自動的に視力表に収斂するように上記輻輳手段を制御する際に、上記瞳孔間距離測定部により検出された角膜の曲率中心による瞳孔間距離と収斂角度を補正制御することを特徴とする自覚式検眼装置である。


【手続補正３】
【補正対象書類名】明細書
【補正対象項目名】０００９
【補正方法】変更
【補正の内容】
【０００９】
第２発明は、左右の眼特性を自覚的に測定する器械と、制御部と、近用測定のために該器械の視軸を輻輳させる輻輳手段と、電動で視力表を選択する近用視力表装置と、を有し、該制御部が左右の視軸を自動的に視力表に収斂するように該輻輳手段を制御する自覚式検眼装置において、
角膜に映った光によって瞳孔間距離を検出する瞳孔間距離測定部と、該近用視力表装置の視力表を選択する操作手段を有し、該操作手段により該視力表を選択すると、左右の視軸を自動的に視力表に収斂するように該輻輳手段を制御する際に、上記瞳孔間距離測定部により検出された角膜の曲率中心による瞳孔間距離と収斂角度を補正制御することを特徴とする自覚式検眼装置である。


【手続補正４】
【補正対象書類名】明細書
【補正対象項目名】００１０
【補正方法】変更
【補正の内容】
【００１０】
【作用】
近用視力表装置の視力表が選択されると、制御部が近用視力表装置を、視力表の内容に応じた所定位置に移動させる。さらに、制御部が左右の視軸を自動的に視力表位置に収斂するように輻輳手段を制御する際に角膜の曲率中心による瞳孔間距離と収斂角度の補正制御もする。


【手続補正５】
【補正対象書類名】明細書
【補正対象項目名】００４２
【補正方法】変更
【補正の内容】
【００４２】
【発明の効果】
本発明は、以上説明したように構成されているので、視力表を選択するだけで、角膜の曲率中心による瞳孔間距離に基づく輻輳時の補正が自動的に行われる。
【手続補正書】
【提出日】平成15年7月15日(2003.7.15)
【手続補正１】
【補正対象書類名】明細書
【補正対象項目名】００７０
【補正方法】変更
【補正の内容】
【００７０】
即ち、図３、図４、図５の形態例及び図５の変形例である図６において、一酸化炭素と水素の除去用処理剤又は処理剤層の空気流れ下流側に、二酸化炭素及び水の吸着材層として例えばゼオライト層を配設すると、空気中に含まれる二酸化炭素及び水と酸化処理により生成された二酸化炭素及び水をさらに高レベルまで吸着除去することができる。


【手続補正２】
【補正対象書類名】明細書
【補正対象項目名】００７１
【補正方法】変更
【補正の内容】
【００７１】
さらに、図５の形態例及び図５の変形例である図６では、前記吸着材層及び処理剤層を、単一容器にそれぞれ上述の順に層毎に区分して充填しているが、複数の容器にそれぞれ又は例えば２層と１層の如く充填して上述の順に直列に配設しても、本発明に含まれることはいうまでもない。さらに、図３、図４、図５の形態例及び図５の変形例である図６において、処理剤に二酸化炭素及び水を吸着する吸着材を混合してもよい。
【手続補正書】
【提出日】平成15年7月28日(2003.7.28)
【手続補正１】
【補正対象書類名】明細書
【補正対象項目名】特許請求の範囲
【補正方法】変更
【補正の内容】
【特許請求の範囲】
【請求項１】
ユーザーに対して所定の香りを放出する香り放出部が、ユーザーの鼻をほぼ中心にしてその左側、右側、前側、後ろ側、上側、又は下側の計６カ所の中のいずれかの少なくとも２カ所に、それぞれ配置されている、芳香装置。
【請求項２】
請求項１において、前記香り放出部は、
複数種類の香料を種類別にそれぞれ収容する各収容部と、
これらの各収容部の全部又は一部から、その中に収容されている香料を所定量だけ取り出す取り出し手段と、
前記取り出し手段に対して、前記各収容部の全部又は一部から所望の香料を所定量だけ取り出すように制御する制御手段と、
前記の取り出し手段により取り出された各香料を混合させて所定の香りを生成する混合手段と、から構成されている、ことを特徴とする芳香装置。
【請求項３】
請求項１又は２において、
前記香り放出部は、さらに、
前記混合手段により生成された香りを、ユーザーの鼻の方向又はそれに近い方向に向かって放出する放出手段を含むものである、芳香装置。
【請求項４】
請求項１から３までのいずれかにおいて、さらに、
前記香り放出部は小型形状に構成され、この小型の香り放出部をユーザーの鼻の周辺に支持するための頭部支持部が備えられている、ことを特徴とする芳香装置。
【手続補正書】
【提出日】平成15年9月4日(2003.9.4)
【手続補正１】
【補正対象書類名】明細書
【補正対象項目名】０００５
【補正方法】変更
【補正の内容】
【０００５】
本発明の目的は、一体成形型の点眼剤用容器の提供にあたり、スクイズ性、液出し性に優れ、かつ内容液を安定に保存できる、成形の容易な点眼剤用容器を提供することにある。


【手続補正２】
【補正対象書類名】明細書
【補正対象項目名】０００８
【補正方法】変更
【補正の内容】
【０００８】
【発明の実施の形態】本発明において一体成形型点眼剤用容器とは成形充填同時システムにより製造される容器である。具体的には特開平８−３４４８９号公報などに記載されているものなどがあげられ、同公報に記載された方法などにより製造することができる。


【手続補正３】
【補正対象書類名】明細書
【補正対象項目名】０００９
【補正方法】変更
【補正の内容】
【０００９】
本発明の一体成形型点眼剤用容器は、容器の形状は特に関与しない。しかし、内容量が２ｍｌを越える容器のときは、ポリオレフィンのみで成形された容器でもスクイズ力は充分小さいので本発明が必要となることは少ない。また、容器の肉厚は０．３〜１．２ｍｍが好ましく、もっとも好ましいのは０．６ｍｍである。肉厚が０．３ｍｍ未満であると水分揮散が多くなり、１．２ｍｍを越えるとスクイズ力が大きくなってしまう。


【手続補正４】
【補正対象書類名】明細書
【補正対象項目名】００１６
【補正方法】変更
【補正の内容】
【００１６】
【発明の効果】本発明により、スクイズ性、液出し性に優れ、水分揮散の少ない、製造の容易な一体成形型の点眼剤用容器を提供することが可能となった。


【手続補正５】
【補正対象書類名】明細書
【補正対象項目名】００２５
【補正方法】変更
【補正の内容】
【００２５】
実施例５
スルファメトキサゾールナトリウム４０００ｍｇ、リン酸水素二ナトリウム１００ｍｇを滅菌精製水９０ｍｌに溶解した後、０．１Ｎ−塩酸を適量加えてｐＨを８．２に調製し、全量１００ｍｌとし、点眼剤を調製した。
【手続補正書】
【提出日】平成16年1月5日(2004.1.5)
【手続補正１】
【補正対象書類名】明細書
【補正対象項目名】請求項１
【補正方法】変更
【補正の内容】
【請求項１】
スタジアム内の１つ１つの椅子にモニター（１）を設け、スタジアムのあらゆる場所に設置されたカメラ（２）からの映像とスタジアム側からのデータをモニター（１）、及び携帯電話に代表される携帯端末により検索できるようにし、それによってスポーツを観戦するシステム。
【手続補正２】
【補正対象書類名】明細書
【補正対象項目名】０００４
【補正方法】変更
【補正の内容】
【０００４】
【課題を解決するための手段】
スタジアムの１つ１つの席にモニター（１）を設け、スタジアム内に多数のカメラ（２）を設置する。そして、カメラ（２）からの映像と同時にスタジアム側から選手やチームのデータが送信される。これをモニター（１）や携帯電話に代表される携帯端末により閲覧することができる。本発明は以上の構成よりなるスポーツを観戦するための、スタジアムにおけるシステムである。


【手続補正３】
【補正対象書類名】明細書
【補正対象項目名】０００５
【補正方法】変更
【補正の内容】
【０００５】
【発明の実施の形態】
本発明をスタジアムのシステムとして取り入れると、スタジアム側から送られてくる映像や情報を、席に設けられたモニター（１）や携帯端末でのスイッチ操作で選択できる。したがって観客は良く見えない試合をただ見ていた状態から、試合の様子を積極的に観戦できる。


【手続補正４】
【補正対象書類名】明細書
【補正対象項目名】０００６
【補正方法】変更
【補正の内容】
【０００６】
【実施例】
以下、本発明の実施例をのべる。
（イ）スタジアムの１つ１つの席にモニター（１）を設置する。
（ロ）スタジアム内に多数のカメラ（２）を設置する。
（ハ）本システムに対応した携帯電話、及び携帯端末。
本発明は、以上の構成よりなっている。
本発明をスタジアムのシステムとして取り入れると、次のようにして、席によっては試合の様子がよくわからないという状態を解消することができる。
試合の様子は、スタジアム内の多数のカメラ（２）によって違った角度、方向からとらえられる。
その多数の映像はスタジアム側によって、選手、チームのデータとともに観客席１つ１つに設置されたモニター（２）、及び携帯電話に代表される携帯端末に送りだされる。観客は送られてきた映像やデータをモニター（２）、及び携帯端末のスイッチ操作によって、自分の興味あるものを選択することができる。この結果、観客側は今までのスポーツの見方に加えて、間近に試合を観ることができる。
【手続補正書】
【提出日】平成15年9月11日(2003.9.11)
【手続補正１】
【補正対象書類名】明細書
【補正対象項目名】０００２
【補正方法】変更
【補正の内容】
【０００２】
【従来の技術】
本願出願人は特開平４−２６９９９１号にて年齢等の属性を入力することによってクイズの出題内容を選択して変更するようにしたクイズゲーム機を提案し、回答者はジョイスティックとボタンを用いて入力をしていた。また、特開平６−２６９５３４号には、音声認識手段と、制御装置と、単語記憶手段と、音声合成手段と、マイクロフォンおよびスピーカを備えたしりとりゲームが開示されている。


【手続補正２】
【補正対象書類名】明細書
【補正対象項目名】０００３
【補正方法】変更
【補正の内容】
【０００３】
【発明が解決しようとする課題】
特開平４−２６９９９１号のクイズケーム機では、ジョイスティックとボタンを用いてゲームを展開、進行をしていたので、操作に不慣れな人には煩わしかった。そしてなにより、こうしたジョイスティックとボタンで操作するクイズゲームが定番となって久しく、マンネリ化していた。こうしたクイズゲームでは回答に対する選択肢が不可欠で、回答者はジョイスティックまたはボタンで選択肢から回答を選んで答えるので、回答が間接的になっていた。


【手続補正３】
【補正対象書類名】明細書
【補正対象項目名】００２０
【補正方法】変更
【補正の内容】
【００２０】
図３には本ゲーム装置のマイク制御の構成ブロックを示す。操作部３で素早くボタン４を押すと、その信号は制御部１３に伝えられ、制御部１３では該当するキャラクタ部９及び電飾部１０を点灯する。それと共に制御部１３では、位置検出部１４からの信号に基づきマイク５の向いている位置を検出し、押されたボタン位置にマイク５を動かすべく、駆動制御部１５に制御信号を発し、駆動制御部１５ではその制御信号に対応し、駆動信号をマイク駆動部１６に出し、押された位置にマイク５を動かす。


【手続補正４】
【補正対象書類名】明細書
【補正対象項目名】００２３
【補正方法】変更
【補正の内容】
【００２３】
クラッチ２１は遊戯者が無理やりにマイク５を動かした際や、マイク回動中にマイクを掴んだ場合にマイクスタンド１８が静止してしまっても、駆動プリー２０を摺動させてモータ２２に無利な力が加わらないようにする。マイクスタンド１８にはストッパー２５が取付けられており、マイクが左右に動く限界位置において基台１７に緩衝部材２６、２６を取付け、ストッパー２５が緩衝部材２６に当接し、予め決められた範囲しかマイク５が動かないようにしてある。各マイクの左右、中央位置が来るストッパー位置にはセンサ２７が取付けてあり、マイク５がその位置にあることを検出し制御部に位置信号を送る。


【手続補正５】
【補正対象書類名】明細書
【補正対象項目名】００２６
【補正方法】変更
【補正の内容】
【００２６】
次にモニター画面は、図９に示すコースセレクト画面になる。コースセレクト画面では３つのコース表示３５が画面の左、右、中央とボタンに対応して表示される。図中ではエントリー受付中に左側及び中央のボタンが押され、右側のボタンは押されていないことを示す。コースセレクト画面では選ぶコースに対応するボタンを押すことによりコースを選択する。


【手続補正６】
【補正対象書類名】明細書
【補正対象項目名】００２７
【補正方法】変更
【補正の内容】
【００２７】
ボタンを押すとクイズが開始され（ステップ１）、モニター７には図１０に示す設問画面が映し出される。問題３６は中央に映し出され、問題を囲む枠３７はタイマーの役割をなし、枠の色が時間経過とともに変化するとともに筐体のタイマー部８が消灯しながらタイムを刻み回答時間を示し（ステップ２）、この回答時間内であればボタン入力を受け付ける（ステップ３）。各キャラクタ３３の下方にはハートのライフマーク３８が表示され、お手つきをするごとに減っていく。問題は一例として、ある絵がモザイク表示して示され、時間経過と共に大きなモザイクから小さなモザイク表示に変化し、その絵が少しずつはっきり現れてくる。そこで遊戯者ではそれが何か判ればボタンを押すのである。


【手続補正７】
【補正対象書類名】図面
【補正対象項目名】図３
【補正方法】変更
【補正の内容】
【図３】
1998085452.tif 000001
【手続補正８】
【補正対象書類名】図面
【補正対象項目名】図８
【補正方法】変更
【補正の内容】
【図８】
1998085452.tif 000002
【手続補正書】
【提出日】平成15年12月3日(2003.12.3)
【手続補正１】
【補正対象書類名】明細書
【補正対象項目名】特許請求の範囲
【補正方法】変更
【補正の内容】
【特許請求の範囲】
【請求項１】
少なくとも９０％の水および添加剤を含む、新鮮な拭き取り溶液を製造し、そして１以上の凹版印刷機械のインクにより一度使用された前記溶液を処理するための方法であって、前記方法は、
（ａ）新鮮な拭き取り溶液を製造すること、
（ｂ）前記新鮮な拭き取り溶液を１個または数個のワイピングタンクに導入し、そして前記新鮮な溶液をインクにより汚染すること、
（ｃ）前記１個または数個のワイピングタンクから出てくる使用済溶液を限外濾過し、透明な溶液および濃厚な残留溶液を製造すること、
（ｄ）前記透明な溶液を新鮮な拭き取り溶液のサーキット内にリサイクルすること、
（ｅ）前記限外濾過から生じた濃厚な残留溶液を凝集させること、
（ｆ）前記凝集された溶液を濾過して、固体廃棄物および濾過済溶液を得ること、
（ｇ）前記濾過済溶液を酸で中和すること、
（ｈ）前記中和された溶液を蒸留して、濃厚な塩の溶液および蒸留水を製造すること、
（ｉ）工程（ａ）で新鮮な拭き取り溶液を製造するために前記蒸留水を使用すること、および、
（ｊ）前記濃厚な塩の溶液を濾過して、固体塩および残留液体を製造すること、の工程を含む方法。
【請求項２】
工程（ｊ）において生じる残留液体が工程（ｅ）における凝集を行うために再使用される、請求項１記載の方法。
【請求項３】
前記新鮮な拭き取り溶液が、軟化された水、スルホン化ヒマシ油およびカセイソーダＮａＯＨを含む、請求項１または２に記載の方法。
【請求項４】
前記新鮮な拭き取り溶液が９８．５％の水、１％のカセイソーダおよび０．５％のスルホン化ヒマシ油を含む、請求項３記載の方法。
【請求項５】
前記凝集が塩化カルシウムＣａＣｌ2 および塩化第二鉄ＦｅＣｌ3 の添加により行われる、請求項１〜４のいずれか１項記載の方法。
【請求項６】
中和が塩酸または硫酸の添加により行われる、請求項１〜５のいずれか１項記載の方法。
【請求項７】
前記方法が２つの逐次的な限外濾過工程を含む、請求項１〜６のいずれか１項記載の方法。
【請求項８】
前記方法が２つの逐次的な蒸留工程を含む、請求項１〜７のいずれか１項記載の方法。
【請求項９】
新鮮な拭き取り溶液を製造し、そして、一度使用された拭き取り溶液を処理するための装置であって、前記装置は、
新鮮溶液タンク（２１）、使用済拭き取り溶液を回収する使用済溶液タンク（１）、使用済溶液タンク（１）からの使用済拭き取り溶液を受けるための限外濾過リサイクルタンク（２）、限外濾過リサイクルタンク（２）に連結された限外濾過ユニット（３）、ここで、前記限外濾過ユニット（３）は透明な溶液を輸送し、そして新鮮溶液タンク（２１）に連結されたアウトレット、および、濃厚な残留溶液を輸送し、そして濃厚溶液タンク（６）に連結された別のアウトレットを有する、残留溶液の凝集を行う凝集タンク（７）、凝集された残留溶液を濾過する濾過プレス（８）、濾過プレス（８）から出てくる溶液を受入れる濾過済溶液タンク（９）、濾過済溶液を中和する中和タンク（１０）および次の中和済溶液タンク（１１）、中和済溶液タンク（１１）からの中和済溶液を受け入れる蒸留ユニット（１２）、蒸留ユニット（１２）の水を受け入れる蒸留水タンク、蒸留ユニット（１２）からの塩溶液を受け入れる濃厚塩溶液タンク（１３）、濃厚な塩溶液を濾過し、そして固体塩および残留溶液を製造する濾過システム（１６）、および、１つの前記タンクから別の前記タンクへの前記溶液およびエフルエントの輸送のためのポンプ手段を含む、装置。
【請求項１０】
濾過システム（１６）から凝集タンク（７）へ、濾過された残留液体を送るための手段を更に含む、請求項９記載の装置。
【請求項１１】
水軟化装置（１８）からの軟化された水および蒸留水タンク（１７）からの蒸留水を受け入れるウォータータンク（１９）、および、ウォータータンク（１９）からの水を受け入れ、そして新鮮溶液タンク（２１）に連結されている、新鮮な拭き取り溶液を製造するためのタンク、を更に含む装置。
【請求項１２】
新鮮な拭き取り溶液が、軟化された水、スルホン化ヒマシ油、およびカセイソーダＮａＯＨを含む、請求項９〜１１のいずれか１項に記載の装置。
【請求項１３】
新鮮な拭き取り溶液が、９８．５％の水、１％のカセイソーダＮａＯＨ、および０．５％のスルホン化ヒマシ油を含む、請求項９〜１２のいずれか１項記載の装置。
【請求項１４】
カセイソーダＮａＯＨおよびスルホン化ヒマシ油を、新鮮な拭き取り溶液（２０）を製造するためのタンク（２０）に添加するための手段を更に含む、請求項９〜１３のいずれか１項記載の装置。
【請求項１５】
塩化カルシウムＣａＣｌ2 および塩化第二鉄ＦｅＣｌ3 を凝集タンク（７）に添加するための手段を更に含む、請求能９〜１４のいずれか１項記載の装置。
【請求項１６】
塩酸または硫酸を中和タンク（１０）に添加するための手段を更に含む、請求項９〜１５のいずれか１項記載の装置。
【請求項１７】
前記限外濾過ユニット（３）の次に、第二限外濾過リサイクルタンク（４）および第二限外濾過ユニット（５）を更に含み、そして、前記第二限外濾過ユニットのアウトレットが前記新鮮溶液タンク（２１）に連結されている、請求項９〜１６のいずれか１項記載の装置。
【請求項１８】
前記蒸留ユニット（１２）の次に第二蒸留ユニット（１４）を更に含み、そして蒸留水タンク（１７）が前記第二蒸留ユニット（１４）の水を受け入れる、請求項９〜１７のいずれか１項記載の装置。